(57)【特許請求の範囲】
【請求項１】
陳列用フックに吊下げた商品を取扱うための道具であって、陳列用フックと同様に複数の商品が吊下げ可能な軸部を備え、軸部の先端に、陳列用フックの先端部に係合して陳列用フックと軸部とを連続状態にする係合部を備えると共に、軸部の基端に、手持ち用の把持部を備え、
係合部が、陳列用フックの先端部と係合する孔であって、孔の開口縁部が、上向きの傾斜面であることを特徴とする商品移動用具。
【請求項２】
陳列用フックに吊下げた商品を取扱うための道具であって、陳列用フックと同様に複数の商品が吊下げ可能な軸部を備え、軸部の先端に、陳列用フックの先端部に係合して陳列用フックと軸部とを連続状態にする係合部を備えると共に、軸部の基端に、手持ち用の把持部を備え、
軸部の先端に、前記係合部を有する先端部材を回動可能に備えたことを特徴とする商品移動用具。
【請求項３】
軸部の先端に、係合部を有する先端部材を回動可能に備えたことを特徴とする請求項１に記載の商品移動用具。
【請求項４】
把持部の反軸部側の端部に、陳列用フックに吊下げた商品の移動操作用の掛止部を設けたことを特徴とする請求項１〜３のいずれか１項に記載の商品移動用具。
【請求項５】
軸部と把持部とが互いに係脱可能であると共に、軸部の基端寄りに、陳列用フックに吊下げた商品の移動操作用の掛止部を設けたことを特徴とする請求項１〜３のいずれか１項に記載の商品移動用具。
【請求項６】
軸部の基端に、把持部を回動可能に設けたことを特徴とする請求項１〜４のいずれか１項に記載の商品移動用具。
【発明の詳細な説明】
【技術分野】
【０００１】
本発明は、陳列用フックに吊下げた商品の補充や交換の際に用いられる商品移動用具に関するものである。
【背景技術】
【０００２】
陳列用フックは、商店等において、ボードやレール等を有する構造体に基端部を固定して略水平状態にし、複数の商品を吊下げた状態で陳列するものである。この陳列用フックは、構造体の竪の面に多数配置することで、限られたスペースに多種類の商品を陳列することができるが、隣接する商品同士の間隔が小さい場合、商品が減ってくると隣接する別の商品に隠れてしまうことがある。
【０００３】
そこで、従来の陳列用フックとしては、ばねにより前方に付勢された押し板を備え、この押し板で商品を常に前方に押出すようにしたもの（特許文献１）や、操作桿を有する押し板を備え、商品が減った場合に、操作桿を引くことにより押し板で商品を前方に移動させるようにしたもの（特許文献２）があった。
【特許文献１】特開平０９−２３８７９１号公報
【特許文献２】特開２０００−３５０６４５号公報
【発明の開示】
【発明が解決しようとする課題】
【０００４】
ところで、上記したような陳列用フックを用いた商品展示では、商品を陳列順に販売した方が好ましいので、商品の補充を行うには、陳列商品の後ろ側に補充商品を入れる必要がある。すなわち、商品の補充を行うには、陳列商品を一旦外してから補充商品を一つずつ補充し、その後、先の陳列商品を一つずつ戻す作業を行うこととなる。
【０００５】
ところが、陳列用フックを用いた商品展示では、隣接する商品同士の間隔が小さいことが多いので、商品の補充や交換といった手作業が非常に煩雑であった。そして、従来においては、先述したように、商品の前出し機能を備えた陳列用フックはあるものの、陳列用フックに吊下げた商品の補充や交換等の作業を容易にする手段は無かった。
【０００６】
本発明は、上記従来の状況に鑑みて成されたものであって、陳列用フックに吊下げた商品の補充や交換等の作業を容易に行うことができる商品移動用具を提供することを目的としている。
【課題を解決するための手段】
【０００７】
本発明の商品移動用具は、陳列用フックに吊下げた商品を取扱うための道具であって、陳列用フックと同様に複数の商品が吊下げ可能な軸部を備え、軸部の先端に、陳列用フックの先端部に係合して陳列用フックと軸部とを連続状態にする係合部を備えると共に、軸部の基端に、手持ち用の把持部を備え、係合部が、陳列用フックの先端部と係合する孔であって、孔の開口縁部が、上向きの傾斜面である構成としており、上記構成をもって従来の課題を解決するための手段としている。
【発明の効果】
【０００８】
本発明の商品移動用具は、把持部を持って簡単に取扱うことができ、陳列用フックの先端部に係合部を係合した状態において、陳列用フックと軸部との間で商品を自在に移動させることができるので、陳列用フックに吊下げた商品の補充や交換等の作業を極めて容易に行うことができる。また、商品移動用具は、係合部を孔とし且つ孔の開口縁部を上向きの傾斜面としているので、当該商品移動用具から陳列用フックへ商品を移動させる際に、傾斜面の下部が商品の通し穴の隙間に入り込み、さらに、傾斜面がガイドとなって商品の移動を円滑に行うことができる。
【発明を実施するための最良の形態】
【０００９】
図１は、本発明の商品移動用具の一実施形態を説明する図である。
図１（ｂ）に先端側を示す陳列用フック１００は、金属製又はプラスチック製の丸棒を素材としたもので、ボードやレールを有する図外の構造体に基端部を固定して水平状態にしてある。そして、陳列用フック１００は、図１（ｃ）に示す如く商品Ｃの通し穴Ｈに通して、複数の商品Ｃを吊下げ状態で陳列する。また、陳列用フック１００は、その先端部が、商品Ｃの脱落を防ぐために上向きにしてある。
【００１０】
図１（ａ）に示す商品移動用具Ｔ１は、陳列用フック１００よりも若干大径の金属製又はプラスチック製の丸棒を素材としたものであって、陳列用フック１００と同様に複数の商品Ｃが吊下げ可能な直線状の軸部１を備えている。そして、商品移動用具Ｔ１は、軸部１の先端に、陳列用フック１００の先端部に係合して陳列用フック１００と軸部１とを連続状態にする係合部２を備えると共に、軸部１の基端に、同軸部１よりも大径の手持ち用の把持部１３を備えている。
【００１１】
商品移動用具Ｔ１は、先端部近傍に折曲部４を設けて、先端部分を下向きに曲成してある。また、この実施形態の係合部２は、陳列用フック１００の先端部に係脱自在な断面円形の孔であり、孔の開口縁部が上向きの傾斜面５になっている。さらに、商品移動用具Ｔ１は、軸部１と把持部１３との間に、双方を連続させる屈曲部６を有している。
【００１２】
上記構成を備えた商品移動用具Ｔ１は、陳列用フック１００に吊下げた商品Ｃの補充や交換等の作業を行うには、把持部１３を持って取り扱う。そして、商品移動用具Ｔ１は、陳列用フック１００の商品Ｃの補充を行う場合、すなわち吊下げた陳列商品Ｃの後ろ側に補充商品を入れる場合には、以下のように使用する。
【００１３】
先ず、図１（ｂ）に示すように、陳列用フック１００の先端部に商品移動用具Ｔ１の係合部２を係合させる。このとき、商品移動用具Ｔ１は、折曲部４により先端部分を下向きに曲成してあるので、陳列用フック１００の上向きの先端部に対して係合部２を容易に係合させることができる。
【００１４】
次に、商品移動用具Ｔ１は、陳列用フック１００に吊下げていた商品Ｃを軸部１に移動させ、陳列用フック１００の先端部から係合部２を外す。この際、商品Ｃの移動は、手で行っても良いし、図示しない別の前出し用具を利用しても良い。
【００１５】
ここで、図１（ｃ）に示すように、商品Ｃの通し穴Ｈの直径は陳列用フック１００の直径よりも充分に大きいので、通し穴Ｈと陳列用フック１００との間には、隙間Ｓが形成される。これに対して、商品移動用具Ｔ１は、係合部２を孔とし且つ孔の開口縁部を上向きの傾斜面５としているので、上記の如く商品Ｃを移動させる際に、傾斜面５の下部が通し穴Ｈの隙間Ｓに入り込み、さらに、傾斜面５がガイドとなって商品Ｃの移動を円滑に行うことができる。
【００１６】
また、商品移動用具Ｔ１は、軸部１に商品Ｃを移動させたときには、軸部１の基端側に設けた屈曲部６がストッパとして機能し、把持部１３を握る手に商品Ｃが当たるのを防ぐことができる。
【００１７】
次に、商品移動用具Ｔ１は、軸部１に補充の商品Ｃを追加する。このとき、商品移動用具Ｔ１は、移動させた陳列商品Ｃ及び追加した補充商品Ｃを一目で確認することができるので、商品管理にも非常に便利である。なお、補充商品Ｃの数が少ない場合には、空の陳列用フック１００に直接取付けても構わない。
【００１８】
その後、商品移動用具Ｔ１は、陳列用フック１００の先端部に係合部２を再び係合させ、軸部１の全ての商品Ｃを陳列用フック１００に移動させる。この際、商品Ｃの移動は、手で行っても良いが、係合部２の軸線回りに商品移動用具Ｔ１を回動させることで、軸部１を傾斜させて商品Ｃを自重で移動させることもできる。
【００１９】
このように、上記実施形態の商品移動用具Ｔ１は、把持部１３を持って簡単に取扱うことができ、陳列用フック１００の先端部に係合部２を係合した状態において、陳列用フック１００と軸部１との間で商品Ｃを自在に移動させることができるので、商品Ｃの補充や交換等の作業を極めて容易に且つ迅速に行うことができる。
【００２０】
図２は、本発明の商品移動用具の他の実施形態を説明する図である。なお、先の実施形態と同一の構成部位は、同一符号を付して詳細な説明を省略する。
【００２１】
図２（ａ）に示す商品移動用具Ｔ２は、傾斜面５とした先端部から把持部３に至る全体が丸棒の素材で一体的に形成してあり、把持部３に滑り止め７が巻き付けてあると共に、把持部３の反軸部１側の端部には、陳列用フック（図１参照）に吊下げた商品の移動操作用の掛止部８が設けてある。この掛止部８は、図２（ｂ）に示すように、把持部３の軸線に対して直交する状態に固定したプレート状部材であって、陳列用フックに係合するＵ字形状の切欠部９を有している。
【００２２】
上記構成を備えた商品移動用具Ｔ２は、先の実施形態と同様の作用及び効果を得ることができるうえに、商品の前出し用具にもなる。すなわち、商品移動用具Ｔ２は、軸部１の先端部側を持てば、この状態で先端側となる掛止部８を利用して、陳列用フックに吊下げた商品の前出し作業を容易に行うことができる。
【００２３】
図３は、本発明の商品移動用具のさらに他の実施形態を説明する図である。なお、先の実施形態と同一の構成部位は、同一符号を付して詳細な説明を省略する。
【００２４】
図３（ａ）に示す商品移動用具Ｔ３は、陳列用フック（図１参照）と同様に複数の商品が吊下げ可能な直線状の軸部１を備え、軸部１の先端に、係合部２を有する先端部材１２を回動可能に備えると共に、軸部の基端に、軸部１よりも大径の把持部１３を回動可能に備えている。係合部２は、陳列用フックの先端部に係脱自在な孔であり、孔の開口縁部が上向きの傾斜面５になっている。
【００２５】
先端部材１２は、図３（ｂ）に示す水平断面において、軸部１側の端部に、中央突片１２ａを有している。これに対して、軸部１は、先端部材１２側の端部に、中央突片１２ａを挟む一対の側部突片１ａ，１ａを有している。そして、互いに組み合わせた中央突片１２ａ及び側部突片１ａ，１ａに、連結ピン１４を貫通させることにより、軸部１に対して先端部材１２を上下方向に回動可能に連結している。
【００２６】
なお、軸部１及び先端部材１２は、各突片１ａ，１２ａと連結ピン１４との寸法設定等によって双方の間に適当な摩擦力をもたせることで、先端部材１２を任意の回動姿勢で維持する構成にすることができる。
【００２７】
また、商品移動用具Ｔ３は、軸部１の基端に、ヒンジ部材１５及びヒンジピン１６を介して把持部１３が回動可能に連結してある。これにより、商品移動用具Ｔ３は、図中に仮想線で示すように、軸部１と平行になるように把持部１３を畳むことができ、収納に便利なものとなる。
【００２８】
上記構成を備えた商品移動用具Ｔ３は、先の実施形態と同様の作用及び効果を得ることができ、陳列用フックと軸部１との間で商品を移動させる際には、先端部材１２と軸部１とを各々の突片１２ａ、１ａで連結しているので、この連結部分に商品が引っ掛かることなく円滑に移動させることができる。
【００２９】
また、商品移動用具Ｔ３は、とくに、軸部１から陳列用フックに商品を移動させる際には、陳列用フックと係合部２とを係合させた状態において、把持部１３を上げるだけで先端部材１２に対して軸部１が回動して傾斜し、これにより商品を自重で移動させることができる。このように軸部１に対して先端部材１２を回動可能に連結することで、操作性をより一層高めることができる。
【００３０】
図４は、本発明の商品移動用具のさらに他の実施形態を説明する図である。なお、先の実施形態と同一の構成部位は、同一符号を付して詳細な説明を省略する。
【００３１】
図４（ａ）に示す商品移動用具Ｔ４は、陳列用フック（図１参照）と同様に複数の商品が吊下げ可能な直線状の軸部１を備え、軸部１の先端に、係合部２を有する先端部材２２を回動可能に備えると共に、軸部の基端に、手持ち用の把持部２３を備えている。係合部２は、陳列用フックの先端部に係脱自在な孔であり、孔の開口縁部が上向きの傾斜面５になっている。
【００３２】
また、商品移動用具Ｔ４は、軸部１と把持部２３とが互いに係脱可能であると共に、軸部１の基端寄りに、陳列用フックに吊下げた商品の移動操作用の掛止部８を設けたものとなっている。掛止部８は、図４（ｃ）に示すように、軸部１の軸線に対して直交する状態に固定したプレート状部材であって、陳列用フックに係合するＵ字形状の切欠部９を有している。
【００３３】
先端部材２２は、図４（ｂ）に示すように、軸部１側の端面に、ボルト頭状の突起部２２ａを有している。これに対して、軸部１は、先端部材２２側の端面に、同じくボルト頭状の突起部１ｂを有している。そして、先端部材２２と軸部１は、これらと同径の弾性部材２４を介して連結してある。弾性部材２４は、両端部が各々の突起部２２ａ，１ｂに嵌合している。これにより、先端部材２２は、弾性部材２４の変形を伴って軸部１に対して上下左右に回動可能になっており、常態では軸部１と同軸線状を成す。
【００３４】
上記構成を備えた商品移動用具Ｔ４は、先の実施形態と同様の作用及び効果を得ることができるうえに、先端部材２２の回動の自由度が高いので、操作性がより一層向上し、商品の移動作業をより容易に行うことができる。また、商品移動用具Ｔ４は、軸部１に商品を移動させた際に、軸部１の基端部寄りに設けた掛止部８がストッパとして機能することとなり、さらに、図４（ｄ）に示すように、軸部１を把持部２３から外せば、陳列用フックに吊下げた商品の前出し用具として用いることもできる。
【００３５】
図５〜図８は、本発明の商品移動用具のさらに他の実施形態を説明する図である。
図５に一部を示す商品移動用具は、先端部材３２と軸部１とをワイヤ３４で連結すると共に、先端部材３２と軸部１との間にワイヤ３４を被う筒状部材３５を設けることで、軸部１に対して先端部材３２を回動可能にしたものである。
【００３６】
図６に一部を示す商品移動用具は、軸部１に弾性部材４４を介して先端部材４２回動可能に連結すると共に、先端部材４２の先端部に、複数の可撓片４２ａから成る係合部２を設けたものである。
【００３７】
図７に一部を示す商品移動用具は、丸棒を曲成した幅広の陳列用フック２００に対応するものであって、陳列用フック２００と同様に複数の商品が吊下げ可能な軸部５１を備えており、軸部５１の先端に、係合部２を有する先端部材５２を回動可能に備えると共に、図示しない軸部の基端に把持部を備えている。この場合、図中仮想線で示す商品Ｃの通し穴Ｈは、陳列用フック２００に対応して横長となる。
【００３８】
図８に一部を示す商品移動用具は、図７に示す例と同様に、丸棒を曲成した幅広の陳列用フック２００に対応するものであって、帯状を成す軸部１１の先端に、陳列用フック２００の先端部に係合して陳列用フック１００と軸部１１とを連続状態にする係合部として、鉤状の係合部１２を備えている。この商品移動用具は、構造が簡単であるうえに、陳列用フック２００に係合部１２を係合した状態で上下に回動させることができるので、軸部１１から陳列用フック２００への商品の移動に便利である。
【００３９】
このように、本発明の商品移動用具は、軸部や係合部が、陳列用フックの形態に応じたものとなり、図５〜８に示すものにあっても、先の各実施形態と同様の作用及び効果を得ることができる。
【００４０】
本発明の商品移動用具は、その構成が上記の各実施形態に限定されるものではなく、本発明の要旨を逸脱しない範囲で構成の細部を適宜変更することが可能であり、例えば、上記各実施形態における構成部位を組み合わせることも当然可能である。
【図面の簡単な説明】
【００４１】
【図１】本発明の商品移動用具の一実施形態を説明する側面図（ａ）、係合部を陳列用フックに係合した状態を示す要部の断面図（ｂ）、及び商品の正面図（ｃ）である。
【図２】本発明の商品移動用具の他の実施形態を説明する側面図（ａ）、図ａ中のＡ−Ａ線矢視に基づく断面図（ｂ）である。
【図３】本発明の商品移動用具のさらに他の実施形態を説明する側面図（ａ）、及び先端部材と軸部の連結部分を説明する水平断面図（ｂ）である。
【図４】本発明の商品移動用具のさらに他の実施形態を説明する側面図（ａ）、先端部材と軸部の連結部分を説明する断面図（ｂ）、図ａ中のＢ−Ｂ線矢視に基づく断面図（ｂ）、及び把持部から軸部を外した状態を示す要部の側面図（ｄ）である。
【図５】本発明の商品移動用具のさらに他の実施形態を説明する斜視図である。
【図６】本発明の商品移動用具のさらに他の実施形態を説明する斜視図である。
【図７】本発明の商品移動用具のさらに他の実施形態を説明する斜視図である。
【図８】本発明の商品移動用具のさらに他の実施形態を説明する斜視図である。
【符号の説明】
【００４２】
Ｔ１  Ｔ２        商品移動用具
Ｔ３  Ｔ４        商品移動用具
Ｃ                商品
１  １１          軸部
２  １２          係合部
３  １３  ２３    把持部
５                傾斜面
８                掛止部
１２  ２２        先端部材
３２  ４２  ５２  先端部材
１００  ２００    陳列用フック
【図１】
0005334444.tif 000002
【図２】
0005334444.tif 000003
【図３】
0005334444.tif 000004
【図４】
0005334444.tif 000005
【図５】
0005334444.tif 000006
【図６】
0005334444.tif 000007
【図７】
0005334444.tif 000008
【図８】
0005334444.tif 000009